(57)【要約】【課題】光ファイバを保持する光ファイバ保持部材を光路変換部材に弾性的に押し付ける構成を採用しながら、基板における電子部品の実装可能領域が制限されることを抑制することが可能な光モジュールを提供する。【解決手段】光モジュール１１は、光ファイバ１０１の端部を収容するコネクタケース２２と、基板３と、基板３に交差する方向に光路Ｌを有する光素子４１と、光ファイバ１０１の端部を基板３に平行に保持するＭＴフェルール５１と、光素子４１の光路Ｌを基板３に平行な方向に変換するレンズ部材５２と、ＭＴフェルール５１をレンズ部材５２側に弾性的に押し付ける弾性力を発生する弾性体５３と、ＭＴフェルール５１との間で弾性体５３を圧縮された状態で保持する係止部材６とを備え、係止部材６は、弾性体５３から受ける反力を基板３に伝達することなく、コネクタケース２２内に支持される。【選択図】図３
2015031867.tif 000002
【特許請求の範囲】
【請求項１】
光ファイバを内蔵したケーブルの端部に設けられる光モジュールであって、
前記光ファイバの端部を収容するケース部材と、
前記ケース部材に収容された基板と、
前記基板に交差する方向に光路を有する光素子と、
前記光ファイバの端部を前記基板に平行に保持する光ファイバ保持部材と、
前記光素子の光路を前記基板に平行な方向に変換し、前記光素子と前記光ファイバとを結合させる光路変換部材と、
前記光ファイバ保持部材を前記光路変換部材側に弾性的に押し付ける弾性力を発生する弾性体と、
前記光ファイバ保持部材との間で前記弾性体を圧縮された状態で保持する弾性体保持部材とを備え、
前記弾性体保持部材は、前記弾性体から受ける反力を前記基板に伝達することなく、前記ケース部材内に支持されている、
光モジュール。
【請求項２】
前記ケース部材に支持され、相手側コネクタの相手側接続端子に接続される接続端子を収容する導電性金属からなるシールドケースをさらに備え、
前記弾性体保持部材は、前記ケース部材内における前記反力の方向への移動が前記シールドケースによって規制されている、
請求項１に記載の光モジュール。
【請求項３】
前記弾性体保持部材は、前記シールドケースを前記相手側コネクタとの嵌合方向に直交する幅方向に挟む一対の腕部と、前記一対の腕部を前記幅方向に沿って連結する架橋部とを有し、前記腕部の先端部が前記ケース部材に形成された凹部に係合して前記ケース部材との相対移動が規制され、かつ前記架橋部における前記幅方向の一部に前記弾性体が当接し、
前記シールドケースは、前記相手側コネクタとの嵌合方向に対して交差する方向に突出する突起を有し、前記突起が前記架橋部に係止されることにより、前記ケース部材に対する前記相手側コネクタ側への相対移動が規制されている、
請求項２に記載の光モジュール。
【請求項４】
前記ケース部材は、前記相手側コネクタとの嵌合方向及び前記幅方向に直交する厚さ方向に分離可能な第１ケース部材及び第２ケース部材からなり、
前記弾性体保持部材は、前記第１ケース部材から離間する方向の移動が前記第２ケース部材との当接によって規制されている、
請求項３に記載の光モジュール。
【発明の詳細な説明】
【技術分野】
【０００１】
本発明は、ケース部材内で光ファイバを保持する光ファイバ保持部材を弾性的に押し付けて支持する光モジュールに関する。
【背景技術】
【０００２】
従来、基板と、基板に垂直な光路を有する光素子と、光素子の光路を基板に平行な方向に変換する光路変換部材と、光ファイバを保持する光ファイバ保持部材とを備え、光ファイバ保持部材を光路変換部材側に弾性的に押し付けて固定する光モジュールが知られている（例えば、特許文献１参照）。
【０００３】
特許文献１に記載の光モジュールは、光ファイバ保持部材としての光コネクタと、光コネクタの両側を挟む２つの側リブ、及びこれら２つの側リブの端部同士を接続する後リブからなる光コネクタ枠と、光コネクタ枠の後リブと光コネクタとの間に配置される弾性部材とを備え、この弾性部材が光コネクタを光路変換部材としてのレンズブロック側に弾性的に押し付けている。光コネクタ枠は、２つの側リブ及び後リブから下方に突出する突起が基板に形成された嵌合穴に嵌合することで、基板に固定されている。
【０００４】
この特許文献１に記載の光モジュールによれば、光コネクタが基板に対して固定されないので、レンズブロックの位置に対応して光コネクタを位置決めして固定することができ、光コネクタやレンズブロックに不要な力が加わることを抑制できると共に、光コネクタとレンズブロックとの間での光軸のずれの発生を抑制できる。
【先行技術文献】
【特許文献】
【０００５】
【特許文献１】特開２０１１−１４１４４３号公報
【発明の概要】
【発明が解決しようとする課題】
【０００６】
しかし、特許文献１に記載の光モジュールでは、基板に嵌合穴を形成し、この嵌合穴に突起を嵌合して光コネクタ枠を基板に直接的に固定する構造であるので、光コネクタ枠の固定のために基板における電子部品の実装可能領域が制限されてしまう。このため、基板の小型化に制約が生じるという点において、なお改善の余地があった。
【０００７】
そこで、本発明は、光ファイバを保持する光ファイバ保持部材を光路変換部材に弾性的に押し付ける構成を採用しながら、基板における電子部品の実装可能領域が制限されることを抑制することが可能な光モジュールを提供することを目的とする。
【課題を解決するための手段】
【０００８】
本発明は、上記課題を解決することを目的として、光ファイバを内蔵したケーブルの端部に設けられる光モジュールであって、前記光ファイバの端部を収容するケース部材と、前記ケース部材に収容された基板と、前記基板に交差する方向に光路を有する光素子と、前記光ファイバの端部を前記基板に平行に保持する光ファイバ保持部材と、前記光素子の光路を前記基板に平行な方向に変換し、前記光素子と前記光ファイバとを結合させる光路変換部材と、前記光ファイバ保持部材を前記光路変換部材側に弾性的に押し付ける弾性力を発生する弾性体と、前記光ファイバ保持部材との間で前記弾性体を圧縮された状態で保持する弾性体保持部材とを備え、前記弾性体保持部材は、前記弾性体から受ける反力を前記基板に伝達することなく、前記ケース部材内に支持されている、光モジュールを提供する。
【発明の効果】
【０００９】
本発明に係るコネクタによれば、光ファイバを保持する光ファイバ保持部材を光路変換部材に弾性的に押し付ける構成を採用しながら、基板における電子部品の実装可能領域が制限されることを抑制することが可能となる。
【図面の簡単な説明】
【００１０】
【図１】本発明の実施の形態に係るコネクタを含むＨＤＭＩケーブルを、相手側コネクタとしてのＨＤＭＩソケットと共に示す斜視図である。
【図２】コネクタケースの第２ケース部材を第１ケース部材から取り外してコネクタケースの内部を示した光モジュールの斜視図である。
【図３】光モジュールの分解斜視図である。
【図４】基板及び電子部品を示し、（ａ）は光素子が実装された第１の主面側を、（ｂ）は第２の主面側を、それぞれ示す平面図である。
【図５】枠体を示し、（ａ）は背面図、（ｂ）は平面図、（ｃ）は正面図、（ｄ）は側面図、（ｅ）は斜視図である。
【図６】レンズ部材を示し、（ａ），（ｂ），（ｃ）はそれぞれ異なる方向から見た斜視図、（ｄ）は（ｂ）のＡ−Ａ線断面図である。
【図７】ＭＴフェルールを示し、（ａ）は斜視図、（ｂ）は（ａ）のＢ−Ｂ線断面図である。
【図８】係止部材を示し、（ａ）は背面図、（ｂ）は平面図、（ｃ）は正面図、（ｄ）は側面図、（ｅ）は斜視図である。
【図９】（ａ）は第２ケース部材を取り外した光モジュールの平面図、（ｂ）は（ａ）のＣ−Ｃ線断面図、（ｃ）は（ａ）のＤ−Ｄ線断面を拡大して示す拡大断面図である。
【図１０】（ａ）及び（ｂ）は、第１ケース部材を示す斜視図である。
【図１１】係止部材によるシールドケースの係止構造を示す斜視図である。
【発明を実施するための形態】
【００１１】
［実施の形態］
図１は、本発明の実施の形態に係るコネクタ２を含むＨＤＭＩケーブル１を、相手側コネクタとしてのＨＤＭＩソケット９と共に示す斜視図である。なお、「ＨＤＭＩ」(High-Definition Multimedia Interface）は、HDMI Licensing,LLCの登録商標である。
【００１２】
ＨＤＭＩケーブル１は、光ファイバを内蔵した通信ケーブル１０と一対の光モジュール１１とを有し、通信ケーブル１０の両端部に光モジュール１１がそれぞれ設けられている。光モジュール１１は、光信号を電気信号に、又は電気信号を光信号に変換する光電変換機能を備えている。図１では、通信ケーブル１０の一方の端部に設けられた光モジュール１１を図示している。
【００１３】
光モジュール１１は、シールドケース２１と、シールドケース２１の一部を収容して支持するケース部材としてのコネクタケース２２と、コネクタケース２２内でシールドケース２１を係止する係止部材（後述）とを備えたコネクタ２を有し、シールドケース２１にはコネクタユニット２０が収容されている。また、コネクタケース２２内には、光電変換機能を実現するための後述する各部品が収容されている。
【００１４】
コネクタユニット２０は、樹脂からなる端子保持部材２００と、端子保持部材２００に保持された複数の接続端子２０１とを有している。コネクタユニット２０は、コネクタケース２２から突出したシールドケース２１の収容部２１１に収容され、複数の接続端子２０１は、コネクタ２の幅方向ＤＷに沿って二列に配列されている。シールドケース２１の収容部２１１及びコネクタユニット２０は、ＨＤＭＩソケット９に挿抜されるプラグ２ａを構成する。つまり、コネクタ２は、プラグ２ａを有するプラグコネクタである。
【００１５】
ＨＤＭＩソケット９は、ＡＶ機器等の外部機器に設けられ、シールドケース２１を収容可能な筒状のソケットシェル９０と、ソケットシェル９０内に保持された相手側接続端子としての複数の機器側端子９１とを有している。ＨＤＭＩソケット９にコネクタ２のプラグ２ａが嵌合されると、複数の接続端子２０１が複数の機器側端子９１にそれぞれ接続される。
【００１６】
コネクタケース２２は、コネクタ２の厚さ方向ＤＴに分離可能な第１ケース部材２３及び第２ケース部材２４からなり、第１ケース部材２３と第２ケース部材２４とは、複数（４本）のボルト２５によって締結されている。この厚さ方向ＤＴは、ＨＤＭＩソケット９との嵌合方向ＤＰ及び幅方向ＤＷに直交する方向である。
【００１７】
シールドケース２１ならびにコネクタケース２２の第１ケース部材２３及び第２ケース部材２４は、導電性金属からなる。シールドケース２１は、例えば屈曲されたニッケルの板材に錫メッキを施してなる。コネクタケース２２の第１ケース部材２３及び第２ケース部材２４は、例えばアルミダイキャストによって形成される。
【００１８】
図２は、第２ケース部材２４を第１ケース部材２３から取り外してコネクタケース２２の内部を示した光モジュール１１の斜視図である。図３は、光モジュール１１の分解斜視図である。なお、以下の説明では、便宜上、嵌合方向ＤＰ（図１参照）におけるＨＤＭＩソケット９側（プラグ２ａ側）を前方といい、その反対方向の通信ケーブル１０側を後方という。
【００１９】
通信ケーブル１０は、樹脂からなる管状のシース１００の内部に複数の光ファイバ１０１及び複数の電線１０２を収容している。光ファイバ１０１は、例えばマルチモード光ファイバであり、クラッドの中心部に光信号が伝搬するコアを有し、クラッドの外周部が樹脂によって被覆されている。電線１０２は、中心導体を絶縁体で被覆した絶縁電線である。コネクタケース２２は、複数の光ファイバ１０１及び複数の電線１０２の端部を収容している。
【００２０】
シース１００は、可撓性を有するブーツ１０３によって終端されている。ブーツ１０３は、ストップリング１０４によってコネクタケース２２に固定されている。
【００２１】
シールドケース２１は、接続端子２０１を収容する収容部２１１、及び収容部２１１からＨＤＭＩソケット９との嵌合方向ＤＰ（図１参照）に沿って後方に延在する被支持部２１２を一体に有している。収容部２１１は被支持部２１２よりもシールドケース２１の先端側（前方）に配置され、被支持部２１２はコネクタケース２２に支持されている。また、シールドケース２１は、嵌合方向ＤＰに対して交差する方向に突出する突起２１３（図３参照）を被支持部２１２に有している。本実施の形態では、突起２１３が被支持部２１２の後方側の端部に設けられている。
【００２２】
光モジュール１１は、光電変換機能を実現するための部品として、コネクタケース２２に収容された基板３と、基板３に交差する方向に光路を有する光素子４１と、光ファイバ１０１の端部を基板３に平行な方向に保持する光ファイバ保持部材としてのＭＴ(Multi Termination)フェルール５１と、光素子４１の光路を基板３に平行な方向に変換して光素子４１と光ファイバ１０１とを光学的に結合させる光路変換部材としてのレンズ部材５２とを有している。
【００２３】
また、光モジュール１１は、シールドケース２１のコネクタケース２２に対する前方（収容部２１１側）への移動を係止する係止部材６と、ＭＴフェルール５１をレンズ部材５２側に弾性的に押し付ける弾性力を発生する弾性体５３と、基板３に固定され、レンズ部材５２を三方から囲むコ字状乃至Ｕ字状の枠体５４とを有している。
【００２４】
係止部材６は、ＭＴフェルール５１との間で弾性体５３を圧縮された状態で保持する弾性体保持部材として機能する。本実施の形態では、弾性体５３がコイルバネからなり、その一端部がＭＴフェルール５１の後方端面に接触し、嵌合方向ＤＰに圧縮されている。係止部材６の詳細については後述する。
【００２５】
図４は、基板３、及び基板３に実装された電子部品を示し、（ａ）は光素子４１が実装された第１の主面３ａ側を、（ｂ）は第１の主面３ａの裏面にあたる第２の主面３ｂ側を、それぞれ示す平面図である。
【００２６】
基板３は、例えばガラス繊維にエポキシ樹脂をしみ込ませて熱硬化処理を施した板状の基材に図略の配線パターンを形成したガラスエポキシ基板である。基板３には、枠体５４を固定するための複数の貫通孔３１、及び第１の主面３ａにおいて厚さ方向に窪んだ窪み部３２が形成されている。
【００２７】
基板３には、第１及び第２の主面３ａ，３ｂにおける前方の端部に、コネクタユニット２０の接続端子２０１の後端部に形成されたリード部２０１ａが接続される複数の電極パッド３３が設けられている。また、基板３の第２の主面３ｂには、複数の電線１０２の中心導体が例えば半田付けによって接続される複数の電極パッド３４が設けられている。
【００２８】
基板３の第１の主面３ａには、光素子４１、及び光素子４１に電気的に接続された半導体回路素子４２、及びその他の電子部品４３が実装されている。電子部品４３は、例えば半導体回路素子やトランジスタ等の能動素子、あるいは抵抗器やコンデンサ、ダイオード等の受動素子である。
【００２９】
光素子４１は、電気信号を光信号に変換し、又は光信号を電気信号に変換する素子である。前者の素子としては、例えばレーザーダイオードやＶＣＳＥＬ（Vertical Cavity Surface Emitting LASER）等の発光素子が挙げられる。また、後者の素子としては、例えばフォトダイオード等の受光素子が挙げられる。
【００３０】
光素子４１が発光素子である場合、半導体回路素子４２は、例えばＨＤＭＩソケット９を有する外部機器からコネクタユニット２０を介して供給される電気信号に基づいて光素子４１を駆動するドライバＩＣである。また、光素子４１が受光素子である場合、半導体回路素子４２は、光素子４１から入力される電気信号を増幅して外部機器側に出力する受信ＩＣである。
【００３１】
光素子４１は、基板３の第１の主面３ａに対して直交する方向に光路を有している。つまり、光素子４１から出射された光、又は光素子４１に入射する光は、基板３の第１の主面３ａに対して直交する方向に沿って、光素子４１の複数の入出射口４１１から出射され、もしくは入出射口４１１に入射する。以下、本実施の形態では、光素子４１が発光素子であり、入出射口４１１から光が出射される場合について主として説明する。
【００３２】
基板３の第２の主面３ｂには、複数の半導体回路素子４４や、受動素子４５、能動素子４６等の電子部品が実装されている。これらの電子部品の一部は、図略の配線パターンによって第１の主面３ａ側の半導体回路素子４２に電気的に接続されている。
【００３３】
図５は、枠体５４を示し、（ａ）は背面図、（ｂ）は平面図、（ｃ）は正面図、（ｄ）は側面図、（ｅ）は斜視図である。
【００３４】
枠体５４は、幅方向ＤＷに沿って延在する棒状の連結部５４０と、連結部５４０の両端部に設けられ、レンズ部材５２を挟む一対の壁部５４１とを一体に有している。壁部５４１には、貫通孔３１に挿入されて基板３に係合する脚部５４２が形成されている。
【００３５】
レンズ部材５２は、一対の壁部５４１の間で、図略の接着剤によって枠体５４に接着固定されている。
【００３６】
図６は、レンズ部材５２を示し、（ａ），（ｂ），（ｃ）はそれぞれ異なる方向から見た斜視図、（ｄ）は（ｂ）のＡ−Ａ線断面図である。
【００３７】
レンズ部材５２は、直方体状の基部５２０と、基部５２０のＭＴフェルール５１に対向する側面から嵌合方向ＤＰに沿って突出する一対の突部５２１とを一体に有している。基部５２０には、断面三角形状の溝部５２２が形成され、光素子４１から出射された光を反射する反射面５２ａが溝部５２２の内面として形成されている。溝部５２２は、幅方向ＤＷに沿って延在し、反射面５２ａと基板３の第１の主面３ａとがなす角度は４５°である。
【００３８】
基部５２０は、光素子４１から出射される光の波長において透光性を有し、空気の屈折率よりも高い屈折率を有している。反射面５２ａでは、レンズ部材５２と空気との屈折率の違いによって、光素子４１の出射光がＭＴフェルール５１側に向かって内部反射する。
【００３９】
基部５２０における基板３の第１の主面３ａとの対向面５２０ａには、複数（本実施の形態では１２個）の第１レンズ部５２３が形成されている。また、基部５２０におけるＭＴフェルール５１との対向面５２０ｂには、第１レンズ部５２３と同数の第２レンズ部５２４が形成されている。複数の第１レンズ部５２３及び複数の第２レンズ部５２４は、それぞれが凸レンズであり、幅方向ＤＷに沿って直線状に配列されている。
【００４０】
光素子４１の入出射口４１１から出射された光は、図６（ｄ）に一点鎖線で示す光路Ｌに沿って第１レンズ部５２３からレンズ部材５２内に入射し、反射面５２ａで反射して第２レンズ部５２４から出射される。
【００４１】
図７は、ＭＴフェルール５１を示し、（ａ）は斜視図、（ｂ）は（ａ）のＢ−Ｂ線断面図である。
【００４２】
ＭＴフェルール５１は、厚さ方向ＤＴの厚みが異なる厚肉部５１１と薄肉部５１２を一体に有し、厚肉部５１１には後方に開口する収容空間５１０が形成されている。薄肉部５１２には、被覆が除去された光ファイバ１０１のコア及びクラッドを挿通させる細径の挿通孔５１２ａが形成されている。また、薄肉部５１２には、レンズ部材５２の一対の突部５２１が嵌合する一対の嵌合穴５１２ｂが形成されている。
【００４３】
挿通孔５１２ａ及び嵌合穴５１２ｂは、嵌合方向ＤＰに平行に延在し、一端部がＭＴフェルール５１の前方端面５１ａに開口している。挿通孔５１２ａの他端部は収容空間５１０に開口し、嵌合穴５１２ｂの他端部はＭＴフェルール５１の後方端面５１ｂに開口している。ＭＴフェルール５１の後方端面５１ｂには、弾性体５３が当接する。
【００４４】
図８は、係止部材６を示し、（ａ）は背面図、（ｂ）は平面図、（ｃ）は正面図、（ｄ）は側面図、（ｅ）は斜視図である。
【００４５】
係止部材６は、シールドケース２１を幅方向ＤＷに挟む一対の腕部６１と、一対の腕部６１を幅方向ＤＷに沿って連結する架橋部６２とを一体に有している。また、係止部材６は、腕部６１が嵌合方向ＤＰに沿って延在し、腕部６１の先端部６１１が厚さ方向ＤＴに湾曲している。腕部６１における先端部６１１とは反対側の基端部６１２は、架橋部６２に接続されている。先端部６１１は、基端部６１２よりも前方（シールドケース２１の先端側）に配置されている。
【００４６】
架橋部６２には、弾性体５３の後方側の端部を収容する弾性体収容部６２０が形成されている。弾性体収容部６２０の底面６２０ａは、一対の腕部６１の基端部６１２よりも後方に形成されている。この底面６２０ａは、弾性体５３が当接し、弾性体５３からの反力を受ける。つまり、弾性体５３は、架橋部６２における幅方向ＤＷの一部に当接し、係止部材６を後方に押し付ける。係止部材６に対する弾性体５３の幅方向ＤＷへの移動は、互いに向かい合う一対の側面６２０ｂによって規制されている。
【００４７】
また、架橋部６２には、弾性体収容部６２０を挟んで厚さ方向ＤＴに突出する一対の脚部６２１が形成されている。脚部６２１の先端面６２１ａは、基板３の第１の主面３ａに当接し、架橋部６２における脚部６２１以外の部分と基板３の第１の主面３ａとの間には、電子部品を実装可能な隙間が形成されている。本実施の形態では、図２に示すように、架橋部６２と基板３との間に電子部品４３が実装されている。
【００４８】
またさらに、架橋部６２には、シールドケース２１の突起２１３を係止する係止部６３が設けられている。本実施の形態では、係止部６３が架橋部６２における幅方向ＤＷの一方の端部に設けられ、腕部６１の延伸方向の延長線上に位置している。係止部６３によるシールドケース２１の係止構造については後述する。
【００４９】
図９（ａ）は、第２ケース部材２４を取り外した光モジュール１１の平面図である。図９（ｂ）は、図９（ａ）のＣ−Ｃ線断面図である。図９（ｃ）は、図９（ａ）のＤ−Ｄ線断面を拡大して示す拡大断面図である。また、図１０（ａ）及び（ｂ）は、第１ケース部材２３を示す斜視図である。なお、図９（ｃ）では、第２ケース部材２４を二点鎖線で示している。
【００５０】
図９に示すように、ＭＴフェルール５１は、嵌合穴５１２ｂにレンズ部材５２の突部５２１が嵌合された状態で、弾性体５３によってレンズ部材５２側に押し付けられている。つまり、ＭＴフェルール５１は、嵌合穴５１２ｂにレンズ部材５２の突部５２１が嵌合することによって幅方向ＤＷ及び厚さ方向ＤＴの位置決めがなされ、弾性体５３によって押し付けられることにより、嵌合方向ＤＰの位置決めがなされている。
【００５１】
図１０（ａ）に示すように、第１ケース部材２３には、係止部材６の腕部６１の先端部６１１が係合する凹部２３ａが形成されている。より詳細には、第１ケース部材２３は、底壁部２３１と、底壁部２３１を介して幅方向ＤＷに向かい合う一対の側壁部２３２とを一体に有し、一対の側壁部２３２のそれぞれに凹部２３ａが形成されている。側壁部２３２は、凹部２３ａにおいて幅方向ＤＷの厚みが薄くなっている。また、凹部２３ａは、第２ケース部材２４側に開口している。なお、凹部２３ａは、一対の側壁部２３２のそれぞれに対称形状に形成されているが、図１０（ａ）では、一対の側壁部２３２のうち一方の側壁部２３２に形成された凹部２３ａのみを図示している。
【００５２】
また、第１ケース部材２３には、図１０（ｂ）に示すように、シールドケース２１の後方端部２１ａに嵌合方向ＤＰに沿って対向する対向面２３ｂが形成されている。対向面２３ｂは、シールドケース２１の被支持部２１２を収容して保持する保持部２３０の内面であり、嵌合方向ＤＰに対して直交する平面として形成されている。シールドケース２１は、コネクタケース２２に対して後方に移動すると、後方端部２１ａが対向面２３ｂに当接することで、後方への移動が規制される。
【００５３】
図９（ｂ）に示すように、係止部材６は、腕部６１の先端部６１１が凹部２３ａに係合して、嵌合方向ＤＰにおけるコネクタケース２２との相対移動が規制されている。換言すれば、腕部６１の先端部６１１は、第２ケース部材２４側に開口した凹部２３ａに係合するように、円弧状に湾曲している。
【００５４】
また、図９（ｃ）に示すように、係止部材６は、第１ケース部材２３から離間する方向の移動が第２ケース部材２４との当接によって規制されている。つまり、係止部材６は、架橋部６２の上面６２ａが第２ケース部材２４の内面２４ａに対向し、係止部材６が第１ケース部材２３から離間する方向に移動すると、架橋部６２の上面６２ａが第２ケース部材２４の内面２４ａに当接することで、その移動が規制される。
【００５５】
図１１は、係止部材６によるシールドケース２１の係止構造を示す斜視図である。
【００５６】
係止部材６は、シールドケース２１の後方端部２１ａに設けられた突起２１３よりも前方（シールドケース２１の先端側）に配置されて突起２１３を係止する係止部６３を有している。本実施の形態では、係止部６３が架橋部６２に形成されている。つまり、架橋部６２における幅方向ＤＷの一部が係止部６３として機能する。
【００５７】
これにより、例えばコネクタ２のプラグ２ａがＨＤＭＩソケット９から抜かれる際に、シールドケース２１がコネクタケース２２に対して前方へ移動する方向の力を受けると、突起２１３が係止部６３に係止されることにより、シールドケース２１の前方への移動が係止部材６によって規制される。このため、シールドケース２１の支持剛性が高まり、ＨＤＭＩソケット９からの抜き取り時におけるシールドケース２１のガタつきが抑制される。
【００５８】
また、係止部材６は、コネクタケース２２内において弾性体５３から受ける反力の方向への移動がシールドケース２１によって規制されている。つまり、前述のようにシールドケース２１の後方への移動は後方端部２１ａが対向面２３ｂに当接することで規制されているので、係止部材６が弾性体５３から受ける反力は、係止部６３からシールドケース２１の突起２１３に伝達され、シールドケース２１の後方端部２１ａに対向する第１ケース部材２３の対向面２３ｂによって受け止められる。
【００５９】
これにより、弾性体保持部材として機能する係止部材６は、弾性体５３から受ける反力を基板３に伝達することなく、コネクタケース２２内に支持されている。
【００６０】
（光モジュール１１の動作）
次に、図９（ｃ）を参照して光モジュール１１の動作について説明する。
【００６１】
半導体回路素子４２は、ＨＤＭＩソケット９の機器側端子９１からコネクタユニット２０を介して伝送される電気信号に基づいて光素子４１を駆動する。光素子４１は、この電気信号に応じて光路Ｌに光を出射する。すなわち、光素子４１は、電気信号を光信号に変換する。
【００６２】
光素子４１の入出射口４１１から出射された光は、基板３に直交する光路Ｌに沿って第１レンズ部５２３からレンズ部材５２に入射し、反射面５２ａで反射して第２レンズ部５２４から出射される。
【００６３】
一方、ＭＴフェルール５１は、挿通孔５１２ａに挿通された光ファイバ１０１のコア及びクラッドを保持しており、弾性体５３によってレンズ部材５２に弾性的に押し付けられている。第２レンズ部５２４から出射された光は光ファイバ１０１のコアに入射し、通信ケーブル１０の他方の端部に設けられた光モジュール１１に伝搬する。
【００６４】
通信ケーブル１０の他方の端部に設けられた光モジュール１１では、上記とは逆の経路で光が光ファイバ１０１から光素子４１の入出射口４１１に入射し、光素子４１において電気信号に変換され、この電気信号が半導体回路素子４２で増幅されて外部機器側に出力される。これにより、ＨＤＭＩケーブル１を介した光通信が行われる。
【００６５】
（実施の形態の作用及び効果）
以上説明した実施の形態によれば、以下のような作用及び効果が得られる。
【００６６】
（１）係止部材６は、弾性体５３から受ける反力を基板３に伝達することなくコネクタケース２２内に支持されているので、例えば係止部材６を固定するために基板３に穴を形成し、この穴に係止部材６を嵌合して固定する場合に比較して、基板３における電子部品を実装可能な領域を広げることができる。
【００６７】
（２）係止部材６は、弾性体５３から受ける反力の方向の移動がシールドケース２１の突起２１３によって規制されるので、例えばコネクタケース２２に係止部材６を支持するための構成を設ける場合に比較して、コネクタケース２２の構造を簡略化することができる。
【００６８】
（３）シールドケース２１は、前方への移動が係止部材６の係止部６３による突起２１３の係止によって規制されるので、コネクタ２のプラグ２ａがＨＤＭＩソケット９から抜かれる際のシールドケース２１の支持剛性が高まり、ガタつきが抑制される。これにより、コネクタ２の信頼性が高まる。
【００６９】
（４）係止部材６は、コネクタケース２２の第２ケース部材２４の内面２４ａに当接することで、第１ケース部材２３から離間する方向の移動が規制されるので、例えば係止部材６のコネクタ２の厚さ方向ＤＴへの移動を規制するための専用部品を第１ケース部材２３に固定する必要がなく、光モジュール１１を低コスト化及び軽量化することが可能となる。
【００７０】
（５）ＭＴフェルール５１は、嵌合穴５１２ｂにレンズ部材５２の突部５２１が嵌合された状態で、弾性体５３によってレンズ部材５２側に押し付けられて固定されるので、ＭＴフェルール５１に保持された光ファイバ１０１の光軸と、レンズ部材５２の第２レンズ部５２４の光軸とを正確に合わせることが可能となる。
【００７１】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００７２】
［１］光ファイバ（１０１）を内蔵したケーブル（１０）の端部に設けられる光モジュール（１１）であって、前記光ファイバ（１０）の端部を収容するケース部材（２２）と、前記ケース部材（２２）に収容された基板（３）と、前記基板（３）に交差する方向に光路（Ｌ）を有する光素子（４１）と、前記光ファイバ（１０１）の端部を前記基板（３）に平行に保持する光ファイバ保持部材（５１）と、前記光素子（４１）の光路（Ｌ）を前記基板（３）に平行な方向に変換し、前記光素子（４１）と前記光ファイバ（１０１）とを結合させる光路変換部材（５２）と、前記光ファイバ保持部材（５１）を前記光路変換部材（５２）側に弾性的に押し付ける弾性力を発生する弾性体（５３）と、前記光ファイバ保持部材（５１）との間で前記弾性体（５３）を圧縮された状態で保持する弾性体保持部材（６）とを備え、前記弾性体保持部材（６）は、前記弾性体（５３）から受ける反力を前記基板（３）に伝達することなく、前記ケース部材（２２）内に支持されている、光モジュール（１１）。
【００７３】
［２］前記ケース部材（２２）に支持され、相手側コネクタ（９）の相手側接続端子（９１）に接続される接続端子（２０１）を収容する導電性金属からなるシールドケース（２１）をさらに備え、前記弾性体保持部材（６）は、前記ケース部材（２２）内における前記反力の方向への移動が前記シールドケース（２１）によって規制されている、前記［１］に記載の光モジュール（１１）。
【００７４】
［３］前記弾性体保持部材（６）は、前記シールドケース（２２）を前記相手側コネクタ（９）との嵌合方向に直交する幅方向（ＤＷ）に挟む一対の腕部（６１）と、前記一対の腕部（６１）を前記幅方向（ＤＷ）に沿って連結する架橋部（６２）とを有し、前記腕部（６１）の先端部（６１１）が前記ケース部材（２２）に形成された凹部（２３ａ）に係合して前記ケース部材（２２）との相対移動が規制され、かつ前記架橋部（６２）における前記幅方向（ＤＷ）の一部に前記弾性体（５３）が当接し、前記シールドケース（２１）は、前記相手側コネクタ（９）との嵌合方向に対して交差する方向に突出する突起（２１３）を有し、前記突起（２１３）が前記架橋部（６２）に係止されることにより、前記ケース部材（２２）に対する前記相手側コネクタ（９）側への相対移動が規制されている、前記［２］に記載の光モジュール（１１）。
【００７５】
［４］前記ケース部材（２２）は、前記相手側コネクタ（９）との嵌合方向（ＤＰ）及び前記幅方向（ＤＷ）に直交する厚さ方向（ＤＴ）に分離可能な第１ケース部材（２３）及び第２ケース部材（２４）からなり、前記弾性体保持部材（６）は、前記第１ケース部材（２３）から離間する方向の移動が前記第２ケース部材（２４）との当接によって規制されている、前記［３］に記載の光モジュール（１１）。
【００７６】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００７７】
例えば、上記実施の形態では、係止部材６が架橋部６２と、架橋部６２の両端部から嵌合方向ＤＰに沿って前方に延びる一対の腕部６１とを有する場合について説明したが、これに限らず、腕部６１は嵌合方向ＤＰに延在していなくともよい。
【００７８】
また、弾性体５３は、コイルバネに限らず、板バネやゴム材等であってもよい。
【符号の説明】
【００７９】
１…ＨＤＭＩケーブル、２…コネクタ、２ａ…プラグ、３…基板、３ａ…第１の主面、３ｂ…第２の主面、６…係止部材（弾性体保持部材）、９…ＨＤＭＩソケット、１０…通信ケーブル、１１…光モジュール、２０…コネクタユニット、２１…シールドケース、２１ａ…後方端部、２２…コネクタケース（ケース部材）、２３…第１ケース部材、２３ａ…凹部、２３ｂ…対向面、２４…第２ケース部材、２４ａ…内面、２５…ボルト、３１…貫通孔、３２…窪み部、３３，３４…電極パッド、４１…光素子、４２…半導体回路素子、４３…電子部品、４４…半導体回路素子、４５…受動素子、４６…能動素子、５１…ＭＴフェルール、５１ａ…前方端面、５１ｂ…後方端面、５２…レンズ部材、５２ａ…反射面、５３…弾性体、５４…枠体、６１…腕部、６２…架橋部、６２ａ…上面、６３…係止部、９０…ソケットシェル、９１…機器側端子、１００…シース、１０１…光ファイバ、１０２…電線、１０３…ブーツ、１０４…ストップリング、２００…端子保持部材、２０１…接続端子、２０１ａ…リード部、２１１…収容部、２１２…被支持部、２１３…突起、２３０…保持部、２３１…底壁部、２３２…側壁部、４１１…入出射口、５１０…収容空間、５１１…厚肉部、５１２…薄肉部、５１２ａ…挿通孔、５１２ｂ…嵌合穴、５２０…基部、５２０ａ…対向面、５２０ｂ…対向面、５２１…突部、５２２…溝部、５２３…第１レンズ部、５２４…第２レンズ部、５４０…連結部、５４１…壁部、５４２…脚部、６１１…先端部、６１２…基端部、６２０…弾性体収容部、６２０ａ…底面、６２０ｂ…側面、６２１…脚部、６２１ａ…先端面、ＤＰ…嵌合方向、ＤＴ…方向、ＤＷ…幅方向、Ｌ…光路
【図１】
2015031867.tif 000003
【図２】
2015031867.tif 000004
【図３】
2015031867.tif 000005
【図４】
2015031867.tif 000006
【図５】
2015031867.tif 000007
【図６】
2015031867.tif 000008
【図７】
2015031867.tif 000009
【図８】
2015031867.tif 000010
【図９】
2015031867.tif 000011
【図１０】
2015031867.tif 000012
【図１１】
2015031867.tif 000013